(57)【要約】【課題】非対応製品が接続された場合の電気的な障害を防ぐことのできる電子機器を提供することである。【解決手段】実施形態の電子機器は、検出用信号を出力する検出用信号出力端子及び識別用信号を入力する識別用信号入力端子を含む複数の端子を有する第１のコネクタと、上記検出用信号出力端子と上記識別用信号入力端子とを周辺機器の対応端子にクロス配線により結線する接続ケーブルと、上記検出用信号を上記検出用信号出力端子に供給して上記識別用信号入力端子の入力信号をモニタし、上記検出用信号に基づく上記識別用信号が上記識別用信号入力端子に入力されたことを条件に残りの端子を介する信号伝送又は電力伝送を開始する制御手段と、を備える。【選択図】図２
2017097651.tif 000002
【特許請求の範囲】
【請求項１】
検出用信号を出力する検出用信号出力端子及び識別用信号を入力する識別用信号入力端子を含む複数の端子を有する第１のコネクタと、
前記検出用信号出力端子と前記識別用信号入力端子とを周辺機器の対応端子にクロス配線により結線する接続ケーブルと、
前記検出用信号を前記検出用信号出力端子に供給して前記識別用信号入力端子の入力信号をモニタし、前記検出用信号に基づく前記識別用信号が前記識別用信号入力端子に入力されたことを条件に残りの端子を介する信号伝送又は電力伝送を開始する制御手段と、
を備える電子機器。
【請求項２】
前記検出用信号出力端子を、電圧供給用の端子とする、
請求項１に記載の電子機器。
【請求項３】
請求項１に記載の電子機器に前記接続ケーブルを介して接続される前記周辺機器であって、
前記検出用信号を入力する検出用信号入力端子及び前記識別用信号を出力する識別用信号出力端子を含み、前記複数の端子の対応端子を有する第２のコネクタと、
前記検出用信号入力端子から前記検出用信号が入力されたことを条件に前記識別用信号出力端子に前記識別用信号を出力する識別用信号出力手段と、
前記第２のコネクタの残りの端子を介する信号伝送又は電力伝送の処理を行う処理部と、
を備える周辺機器。
【請求項４】
前記第２のコネクタはＤｉｓｐｌａｙＰｏｒｔ規格のコネクタであり、
前記検出用信号入力端子は、標準仕様においてグランドに使用される端子と同じピン番号の端子に設けられる、
請求項３に記載の周辺機器。
【請求項５】
前記識別用信号出力手段は、前記検出用信号の所定方向からの入力により前記識別用信号を出力する半導体素子を含む、
請求項３又は４に記載の周辺機器。
【発明の詳細な説明】
【技術分野】
【０００１】
本発明の実施形態は、電子機器及び周辺機器に関する。
【背景技術】
【０００２】
電子機器及び周辺機器を相互に接続する接続インタフェースとしてＤｉｓｐｌａｙＰｏｒｔインタフェースが広く普及している。標準仕様のＤｉｓｐｌａｙＰｏｒｔインタフェースを備える機器（電子機器をソース機器と呼び、周辺機器をシンク機器と呼ぶ）が一般に普及する一方で、コネクタのピンアサインメントをカスタマイズしたソース機器、それに対応するシンク機器及び接続ケーブルなどを扱うユーザも増えつつある。
【０００３】
しかし、汎用規格に準じてカスタマイズされたソース機器は、汎用接続ケーブルや、汎用コネクタを有する非対応シンク機器との接続が可能である。カスタマイズされたソース機器に誤ってこのような非対応製品を接続した場合、破損や誤動作等の障害を引き起こす恐れがある。そのため、カスタマイズされたソース機器に非対応製品が接続されるという誤接続時の対策が求められている。
【発明の概要】
【発明が解決しようとする課題】
【０００４】
本発明が解決しようとする課題は、非対応製品が接続された場合の電気的な障害を防ぐことのできる電子機器及び周辺機器を提供することである。
【課題を解決するための手段】
【０００５】
実施形態の電子機器は、検出用信号を出力する検出用信号出力端子及び識別用信号を入力する識別用信号入力端子を含む複数の端子を有する第１のコネクタと、上記検出用信号出力端子と上記識別用信号入力端子とを周辺機器の対応端子にクロス配線により結線する接続ケーブルと、上記検出用信号を上記検出用信号出力端子に供給して上記識別用信号入力端子の入力信号をモニタし、上記検出用信号に基づく上記識別用信号が上記識別用信号入力端子に入力されたことを条件に残りの端子を介する信号伝送又は電力伝送を開始する制御手段と、を備える。
【図面の簡単な説明】
【０００６】
【図１】図１は、本実施形態にかかる、ソース機器とシンク機器と、これらの機器間を接続する接続ケーブルの模式図である。
【図２】図２は、ソース機器のハードウエアブロックの一例を示す図である。
【図３】図３は、第１のコネクタの端子接続部の概略正面図である。
【図４】図４は、識別回路の説明図である。
【図５】図５は、シンク機器のハードウエアブロックの一例を示す図である。
【図６】図６は、第１、第２のコネクタのピンアサインメントと、接続ケーブルの配線の一例を示す図である。
【図７】図７は、ソース機器とシンク機器と接続ケーブルの一部に構成される識別用信号生成手段の構成図である。
【図８】図８は、ソース機器の電気接続動作を示すフロー図である。
【図９】図９は、ソース機器に非対応製品を接続した場合の接続例（その１）を示す図である。
【図１０】図１０は、ソース機器に非対応製品を接続した場合の接続例（その２）を示す図である。
【図１１】図１１は、ソース機器に非対応製品を接続した場合の接続例（その３）を示す図である。
【図１２】図１２は、ソース機器に非対応製品を接続した場合の接続例（その４）を示す図である。
【図１３】図１３は、ソース機器に非対応製品を接続した場合の接続例（その５）を示す図である。
【発明を実施するための形態】
【０００７】
（実施形態）
以下、添付図面を参照しながら電子機器及び周辺機器の実施形態について詳細に説明する。本実施形態では、係る電子機器の一例として、接続インタフェースにＤｉｓｐｌａｙＰｏｒｔインタフェースを有するソース機器について説明する。また、係る周辺機器の一例として、接続インタフェースにＤｉｓｐｌａｙＰｏｒｔインタフェースを有するシンク機器について説明する。
【０００８】
図１は、ソース機器とシンク機器と、これらの機器間を接続する接続ケーブルの模式図である。図１に示すソース機器１はＰＣ等であり、シンク機器２はその周辺機器（液晶ディスプレイ等）である。ソース機器１とシンク機器２は、共にＤｉｓｐｌａｙＰｏｒｔインタフェースを有する。ソース機器１とシンク機器２の各コネクタ（それぞれ、第１のコネクタＣ１、第２のコネクタＣ２）は、ＤｉｓｐｌａｙＰｏｒｔ規格の標準形状のものである。ピン端子とこれに接続する電線の信号名との対応関係を示すピンアサインメントは、カスタマイズにより標準仕様のものと異なっている。
【０００９】
接続ケーブル３は、ＤｉｓｐｌａｙＰｏｒｔ規格の標準仕様の接続ケーブルをカスタマイズしたものである。接続ケーブル３は、ケーブル部３０にビデオ信号・制御信号・検出／識別用信号、給電用の電力等を伝送するための電線を有し、ケーブル部３０の両端部にＤｉｓｐｌａｙＰｏｒｔ規格の標準仕様のプラグ３０−１、３０−２を有する。接続ケーブル３は、ソース機器１とシンク機器２の各コネクタＣ１、Ｃ２のピンアサインメントのカスタマイズに伴い、ケーブル部３０の各電線の配線を標準仕様のものからカスタマイズしてある。ソース機器１とシンク機器２の各コネクタＣ１、Ｃ２に接続ケーブル３のプラグ３０−１、３０−２を差し込むことにより、ソース機器１とシンク機器２間に検出／識別用信号の伝送路が形成される。
【００１０】
以下、液晶ディスプレイをシンク機器２の例に挙げ、ソース機器１とシンク機器２の主にＤｉｓｐｌａｙＰｏｒｔインタフェースに係る構成について説明する。先ず、ソース機器１のハードウエア構成について説明する。
【００１１】
図２は、ソース機器１のハードウエアブロックの一例を示す図である。図２に示すように、ソース機器１は、ＣＰＵ１０、ＢＩＯＳ−ＲＯＭ１１、メモリ１２、チップセット１３、外部記憶装置１４、識別回路１５、第１のコネクタＣ１、電源部Ｐを備える。
【００１２】
ＣＰＵ１０は、中央演算処理装置であり、ＢＩＯＳ−ＲＯＭ１１や外部記憶装置１４の各種プログラムを実行し、演算処理や各部の制御処理を行う。
【００１３】
ＢＩＯＳ−ＲＯＭ１１は、ＢＩＯＳ（Basic  Input/Output  System）を記憶するＲＯＭ（Read  Only  Memory）である。
【００１４】
メモリ１２は、ＣＰＵ１０が各種プログラムを実行する際の作業領域に使用されるＲＡＭ（Random  Access  Memory）である。
【００１５】
外部記憶装置１４は、ＨＤＤ（Hard  Disk  Drive）やフラッシュＲＯＭ等である。外部記憶装置１４は、ＯＳ（Operating  System）や、各部を制御するドライバや、アプリケーションプログラムなどを記憶する。
【００１６】
チップセット１３は、ＣＰＵ１０の制御の下に、メモリコントロールやＩ／Ｏ機器等のコントロールを行う。本例では、チップセット１３は、Ｉ／Ｏ機器であるシンク機器２との間で、ビデオ信号や、制御信号や、検出／識別用信号や、電力などの伝送を、ＤｉｓｐｌａｙＰｏｒｔ規格に準ずる回路でコントロールする。
【００１７】
識別回路１５は、ＤｉｓｐｌａｙＰｏｒｔ規格の第１のコネクタＣ１に自装置の対応製品（接続ケーブル３及びシンク機器２）が接続されたことを識別する回路である。識別回路１５は、本例では、チップセット１３と第１のコネクタＣ１を繋ぐ信号伝送路ｄ１や電源部Ｐと第１のコネクタＣ１を繋ぐ電力伝送路ｐ１の各伝送経路内に介在する。識別回路１５は、第１のコネクタＣ１に自装置の対応製品が接続されたことを識別すると上記の信号伝送路ｄ１、電力伝送路ｐ１を通じた信号や電力の伝送の開始を可能にする。
【００１８】
第１のコネクタＣ１は、ＤｉｓｐｌａｙＰｏｒｔ規格に準拠したレセプタクルであり、２０個のピン端子を有する。
【００１９】
図３は、第１のコネクタＣ１の端子接続部の概略正面図である。第１のコネクタＣ１のピン端子にはピン番号（Ｐｉｎ１〜Ｐｉｎ２０）を付している。図３に示す第１のコネクタＣ１は、外形形状がＤｉｓｐｌａｙＰｏｒｔ規格に準拠したものである。第１のコネクタＣ１にはＤｉｓｐｌａｙＰｏｒｔ規格の標準プラグの差し込みが可能である。
【００２０】
第１のコネクタＣ１の各ピン端子（Ｐｉｎ１〜Ｐｉｎ２０）には、識別回路１５（図２参照）を介して、チップセット１３（図２参照）のビデオ信号や制御信号等を伝送する信号伝送路ｄ１の各電線が結線されている。また、識別回路１５を介して電源部Ｐ（図２参照）が外部へ供給する電力の電力伝送路ｐ１の電線が結線されている。また、識別回路１５に識別用信号を伝送する識別用信号伝送路ｅ１の電線が結線されている。また、電源部Ｐの検出用信号を伝送する検出用信号伝送路ｅ２の電線が結線されている。各ピン端子とそれぞれに接続する電線の信号名との対応関係を示すピンアサインメントは、標準仕様のものと異なっている。第１のコネクタＣ１のピンアサインメントについては図６を用いて後に説明する。
【００２１】
電源部Ｐ（図２参照）は、電力を供給する電源回路である。電源部Ｐは、例えば整流回路や電圧変換回路などを備え、商用電源等の電力を自装置の各部に供給する。また、電源部Ｐは、シンク機器２の動作電力を識別回路１５の一部を介して、第１のコネクタＣ１の対応するピン端子（対応端子）に供給する。更に、電源部Ｐは、（＋）３．３Ｖの電圧を第１のコネクタＣ１の対応するピン端子（対応端子）に供給する。（＋）３．３Ｖの電圧は、対応製品が接続されたことを検出するための検出用信号として供給するものである。
【００２２】
ここで、識別回路１５の一例を示す。
図４は、識別回路１５の説明図である。図４の回路１５０は、論理素子等により構成されており、入力端子Ｔ１、出力端子Ｔ２、及びイネーブル端子Ｔ３を有する。入力端子Ｔ１には、第１のコネクタＣ１を介して伝送する信号や電力の入力側の電線を接続する。出力端子Ｔ２には、入力端子Ｔ１に入力される信号や電力の出力側の電線を接続する。例えばビデオ信号についてはチップセット１３から出力されるビデオ信号の電線を入力端子Ｔ１に接続し、その出力端子Ｔ２を第１のコネクタＣ１のビデオ信号の対応端子と電線で接続する。イネーブル端子Ｔ３は、第１のコネクタＣ１の識別用のピン端子と電線で接続する。
【００２３】
回路１５０の動作は次の通りである。回路１５０は、イネーブル端子Ｔ３にＯＮ信号（識別用信号）が入力された状態においては、入力端子Ｔ１の入力信号を出力端子Ｔ２から出力する。回路１５０は、イネーブル端子Ｔ３にＯＦＦ信号（識別用信号）が入力された状態においては、入力端子Ｔ１の入力信号の出力端子Ｔ２からの出力を停止させる。本例では、上記「ＯＮ信号」を、所定の閾値電圧を超えるＨｉｇｈレベルの電圧とし、上記「ＯＦＦ信号」を、「０Ｖ（ボルト）」等のＬｏｗレベルの電圧とする。また、ＯＦＦ信号の入力状態において、回路１５０は出力端子Ｔ２から０Ｖの信号を出力するものとする。
【００２４】
識別回路１５は、回路１５０に示す構成を、第１のコネクタＣ１を介して伝送する信号の信号伝送路ｄ１や電力の電力伝送路ｐ１の電線ごとに備える。
【００２５】
次に、シンク機器２の構成について説明する。
図５は、シンク機器２のハードウエアブロックの一例を示す図である。図５に示すように、シンク機器２は、表示デバイス（処理部）２０や第２のコネクタＣ２を備える。
【００２６】
表示デバイス２０は、ＤｉｓｐｌａｙＰｏｒｔ対応の表示デバイスである。表示デバイス２０は、第２のコネクタＣ２の所定のピン端子から電力供給を受けて動作する。表示デバイス２０は、第２のコネクタＣ２の所定のピン端子を介して制御信号やビデオ信号を受信し、受信したビデオ信号に基づいて画像を表示パネルに表示する。
【００２７】
第２のコネクタＣ２は、ＤｉｓｐｌａｙＰｏｒｔ規格に準拠したレセプタクルであり、２０個のピン端子を有する。ピン端子には、表示デバイス２０側のビデオ信号や制御信号等の信号伝送路ｄ２の各電線や電力伝送路ｐ２の電線などが結線されている。各ピン端子とそれぞれに接続する電線の信号名との対応関係を示すピンアサインメントは、標準仕様のものと異なっている。第１のコネクタＣ１のピンアサインメントと共に第２のコネクタＣ２のピンアサインメントについて以下に説明する。
【００２８】
図６は、本実施形態における、ソース機器１の第１のコネクタＣ１のピンアサインメントＡ１とシンク機器２の第２のコネクタＣ２のピンアサインメントＡ２と、これらに接続する接続ケーブル３の配線Ｂの一例を示した図である。
【００２９】
ソース機器１は、ピン端子に接続する電線の接続関係を標準仕様のものからカスタマイズしたものである。具体的に、ソース機器１は、カスタマイズにより、標準仕様において４つのレーンの一つに使用される１０番ピン〜１２番ピンの端子が図６に「ＰＯＷＥＲ」として示すごとく電源部Ｐの電力伝送路ｐ１の電線に結線している。更に、ソース機器１は、標準仕様において「Ｒｅｔｕｒｎ」に使用される１９番ピンの端子が図６に「Ｏｕｔｐｕｔ  Ｃｏｎｔｒｏｌ」として示すごとくイネーブル端子Ｔ３（図４参照）に結線している。
【００３０】
ピン番号４〜ピン番号９、ピン番号１３、及びピン番号１４についても、適宜カスタマイズが可能である。例えばこれらのピン端子の何れかにＵＳＢ機器の信号を伝送するためのピン端子を割り当てるなどしても良い。ここでは説明を分かり易くするためにこれらのピン番号についての具体的な信号名等の例示は省略する。図６には、任意の割り当てがありうることを示す「ＡＮＹ」と表記する。
【００３１】
接続ケーブル３は、プラグ３０−１からプラグ３０−２への各電線の配線を標準仕様のものからカスタマイズしたものである。具体的に、接続ケーブル３は、ソース機器１の第１のコネクタＣ１とシンク機器２の第２のコネクタＣ２の相互の１番ピン〜１８番ピンの端子を標準仕様のクロス配線からストレート配線で接続するものになっている。更に、接続ケーブル３は、１９番ピンと２０番ピンの端子を標準仕様のストレート配線からクロス配線で接続するものになっている。
【００３２】
シンク機器２も、ソース機器１や接続ケーブル３のカスタマイズ内容に従い、ピン端子に接続する電線の接続関係を標準仕様のものからカスタマイズしたものである。例えば、１番ピン〜３番ピンの端子を標準仕様のレーン３の電線との結線からレーン０の電線との結線に変更したものになっている。
【００３３】
上記変更について説明すると次の通りである。標準仕様において、第２のコネクタＣ２の１番ピン〜３番ピンの端子は、ソース機器１側の１０番ピン〜１２番ピンの端子とクロス配線になる。ソース機器１側の１０番ピン〜１２番ピンの端子は標準仕様ではレーン３である。このため、第２のコネクタＣ２の１番ピン〜３番ピンの端子は、レーン３の電線との結線になる。一方、接続ケーブル３のカスタマイズ内容によると、第２のコネクタＣ２の１番ピン〜３番ピンの端子は、ソース機器１の１番ピン〜３番ピンの端子とストレート配線になる。ソース機器１の１番ピン〜３番ピンの端子はレーン０である。このため、第２のコネクタＣ２の１番ピン〜３番ピンの端子はレーン０の電線との結線になる。
【００３４】
４番ピン〜１２番ピンの端子においても接続ケーブル３ではストレート配線となる。これにより、第２のコネクタＣ２の４番ピン〜１２番ピンの端子は、それぞれ、ソース機器１の４番ピン〜１２番ピンの端子の対応する電線と結線している。
【００３５】
１９番ピン及び２０番ピンの端子においては接続ケーブル３ではクロス配線となる。シンク機器２は、１９番ピンと２０番ピンの端子を検出用信号から識別用信号を生成する手段として使用する。
【００３６】
図７は、本実施形態に係るソース機器１とシンク機器２と接続ケーブル３の一部に構成される識別用信号生成手段の構成図である。第１のコネクタＣ１の２０番ピンの端子が検出用信号出力端子に相当し、１９番ピンの端子が識別用信号入力端子に相当する。また、第２のコネクタＣ２の１９番ピンの端子が検出用信号入力端子に相当し、２０番ピンの端子が識別用信号出力端子に相当する。図７に示すように、シンク機器２側の第２のコネクタＣ２の１９番ピンの端子と２０番ピンの端子との間に、識別用信号を出力する識別用信号出力手段として、ダイオードＤ１とこれに直列に接続した制限抵抗Ｒ１とを配線する。また、ソース機器１側では、イネーブル端子Ｔ３と第１のコネクタＣ１の１９番ピンの端子とを接続する電線を、プルダウン抵抗Ｒ２を介してグランドＧＮＤに接続する。
【００３７】
ダイオードＤ１は、一方向に電流を流す半導体素子であり、制限抵抗Ｒ１は、ダイオードＤ１の動作電圧や電流を制御するための抵抗である。プルダウン抵抗Ｒ２は、主に、第１のコネクタＣ１に対して製品が未接続な場合や非対応製品が接続されている場合において、イネーブル端子Ｔ３の電圧レベルをＬｏｗレベルに保障するためのものである。製品が未接続な場合や非対応製品が接続されている場合、第１のコネクタＣ１の１９番ピンの端子とイネーブル端子Ｔ３の電圧はグランド（０Ｖ（ボルト））になる。
【００３８】
図７に示す接続状態において、識別用信号生成手段は次のように動作する。第１のコネクタＣ１の２０番ピンの端子から第２のコネクタＣ２の１９番ピンの端子に検出用信号（＋３．３Ｖの電圧）が入力する。これにより、第２のコネクタＣ２において、ダイオードＤ１のアノードに＋３．３Ｖの電圧がかかり、１９番ピンの端子から２０番ピンの端子に向けて電流が流れる。この電流は、２０番ピンから接続ケーブル３を介して第１のコネクタＣ１の１９番ピンの端子を通りイネーブル端子Ｔ３へと流れ込む。これにより、イネーブル端子Ｔ３の電圧が回路１５０の内部回路から見て高くなり、Ｈｉｇｈレベルとなる。
【００３９】
次に、ソース機器１によるシンク機器との電気接続動作について説明する。ソース機器１は、対応製品或いは非対応製品が第１のコネクタＣ１にプラグ接続されると、起動時又は起動後に、ＣＰＵ１０や、チップセット１３や、識別回路１５などが制御手段として動作し、シンク機器のプラグ接続を検出して、以下の電気接続動作を行う。
【００４０】
図８は、ソース機器１の電気接続動作を示すフロー図である。
先ず、ソース機器１は、電源部Ｐの＋３．３Ｖの電圧（検出用信号）を２０番ピンの端子に供給する（Ｓ１）。例えば、ＣＰＵ１０がチップセット１３にＤｉｓｐｌａｙＰｏｒｔの接続開始命令を出力する。チップセット１３は、この命令により、電源部Ｐが供給する＋３．３Ｖの電圧のラインを電子スイッチをＯＮするなどして２０番ピンの端子に接続する。
【００４１】
次に、ソース機器１は、第１のコネクタＣ１の１９番ピンの端子の電圧レベルがＨｉｇｈレベルかを判定する（Ｓ２）。本構成例では、識別回路１５の回路１５０（図４参照）がイネーブル端子Ｔ３の電圧レベルをモニタすることにより判定する。接続された製品が対応製品のとき、イネーブル端子Ｔ３の電圧レベルはＨｉｇｈレベルになるため、ステップＳ２でＹｅｓ判定になる。接続された製品が非対応製品のとき、イネーブル端子Ｔ３の電圧レベルは未接続時のＬｏｗレベルのままとなるため、ステップＳ２でＮｏ判定になる。
【００４２】
ステップＳ２においてＹｅｓ判定の場合、ソース機器１は、第１のコネクタＣ１の任意のピン端子を介し、各種信号や駆動電力等の伝送を開始する（Ｓ３）。本構成例では、回路１５０がイネーブル端子Ｔ３のＨｉｇｈレベルの入力により入力端子Ｔ１の入力信号を出力端子Ｔ２に出力する。これにより、シンク機器２との間で送受信されるビデオ信号や制御信号や電力等のソース機器１内外への伝送が可能になり、ソース機器１がシンク機器２との送受信を開始する。
【００４３】
一方、ステップＳ２においてＮｏ判定の場合、イネーブル端子Ｔ３の入力電圧はＬｏｗレベルを維持する。これにより、回路１５０は、入力端子Ｔ１の入力信号を通すことなく出力端子Ｔ２の出力を０Ｖに維持する。つまり、本構成例では、ソース機器１は非対応機器との間で送受信されるビデオ信号や制御信号や電力等のソース機器１内外への伝送を未然に止めることになる。ソース機器１は、イネーブル端子Ｔ３の電圧レベルがＨｉｇｈレベルに変わるまでステップＳ２の判定を繰り返す。そして、非対応製品が対応製品に付け替えられると、イネーブル端子Ｔ３の電圧レベルがＨｉｇｈレベルになり、ステップＳ２がＹｅｓ判定になる。ステップＳ２のＹｅｓ判定後、ソース機器１はステップＳ３の伝送を開始し、電気接続時の動作は終了する。
【００４４】
ここで、ソース機器１の第１のコネクタＣ１に非対応製品を接続した場合の接続例を示す。図９〜図１３は、ソース機器１に対して非対応製品を接続した場合の接続例を示す図である。ただし、各図において、図７との比較のため、識別用信号生成手段に係る箇所を除く構成については省略する。
【００４５】
図９は、非対応製品である標準シンク機器（標準仕様の電源オプション無し）を接続ケーブル３を介して接続した場合の接続例である。この場合、ソース機器１側の２０番ピンの端子（ＤＰ  ＰＷＲ）と標準シンク機器側の１９番ピンの端子（Ｒｅｔｕｒｎ）が接続する。また、ソース機器１側の１９番ピンの端子（Ｏｕｔｐｕｔ  Ｃｏｎｔｒｏｌ）と標準シンク機器側の２０番ピンの端子（ＤＰ  ＰＷＲ）が接続する。標準シンク機器側の２０番ピンの端子は電源オプション無しのため未接続（ＮＣ）になっている。
【００４６】
この接続例において、ソース機器１の１９番ピンの端子は、プルダウン抵抗Ｒ２を介して接続したグランドＧＮＤの０Ｖをとる。従って、イネーブル端子Ｔ３の入力電圧は接続前のＬｏｗレベルのままとなり、ソース機器１は出力端子Ｔ２に０Ｖを出力するなどして標準シンク機器との間でのビデオ信号や制御信号や電力等の伝送を開始しない。また、標準シンク機器側では、１９番ピンの端子（Ｒｅｔｕｒｎ）がグランドＧＮＤをとる。このため、ソース機器１が検出用信号として２０番ピンの端子から出力する（＋）３．３Ｖの電圧による標準シンク機器の内部回路への電流の流れ込みも抑止される。
【００４７】
図１０は、図９の接続例において標準シンク機器を標準仕様の電源オプション有りのものに変更した場合の接続例である。標準シンク機器側の２０番ピンの端子（ＤＰ  ＰＷＲ）は、標準シンク機器側が備える所定の回路の、ソース機器１からの駆動電圧の供給を受けるラインに結線されている。この接続例においても、ソース機器１の１９番ピンの端子はプルダウン抵抗Ｒ２を介して接続したグランドＧＮＤの０Ｖをとる。従って、イネーブル端子Ｔ３の入力電圧は接続前のＬｏｗレベルのままとなり、ソース機器１は伝送を開始しない。また、標準シンク機器側の２０番ピンの端子（ＤＰ  ＰＷＲ）に対する入力電圧は０Ｖとなるため、接続による標準シンク機器の内部回路に対する影響は抑止される。
【００４８】
図１１は、非対応製品である標準ＤｉｓｐｌａｙＰｏｒｔケーブルを介して、同じく非対応製品である標準シンク機器を接続した場合の接続例である。
【００４９】
図１１（ａ）は、標準ＤｉｓｐｌａｙＰｏｒｔケーブル（標準仕様の電源オプション無し）を介して標準シンク機器（標準仕様の電源オプション無し）を接続した場合の接続例である。この場合、ソース機器１側の１９番ピンの端子（Ｏｕｔｐｕｔ  Ｃｏｎｔｒｏｌ）と、標準シンク機器側の１９番ピンの端子（Ｒｅｔｕｒｎ）が接続する。ソース機器１側の２０番ピンの端子（ＤＰ  ＰＷＲ）と標準シンク機器側の２０番ピンの端子（ＤＰ  ＰＷＲ）間は、未接続である。更に、標準シンク機器側の２０番ピンの端子（ＤＰ  ＰＷＲ）は、内部回路と未接続である。
【００５０】
この接続例においても、標準シンク機器側の１９番ピンの端子（Ｒｅｔｕｒｎ）はグランドＧＮＤをとるので、ソース機器１の１９番ピンの端子は０Ｖをとる。従って、イネーブル端子Ｔ３の入力電圧は接続前のＬｏｗレベルのままとなり、ソース機器１は伝送を開始しない。また、ソース機器１側の２０番ピンの端子と標準シンク機器側の２０番ピンの端子間は未接続であるため、検出用信号としての（＋）３．３Ｖの電圧は標準シンク機器側には入力しない。
【００５１】
図１１（ｂ）は、図１１（ａ）の接続例において標準シンク機器を電源オプション有りのものに変更した場合の接続例である。この接続例においても、図１１（ａ）の接続例と同様に、イネーブル端子Ｔ３の入力電圧は接続前のＬｏｗレベルのままとなり、ソース機器１は伝送を開始しない。また、ソース機器１側の２０番ピンの端子と標準シンク機器側の２０番ピンの端子間は未接続であるため、検出用信号としての（＋）３．３Ｖの電圧は標準シンク機器側には入力しない。
【００５２】
図１１（ｃ）は、図１１（ａ）の接続例において標準ＤｉｓｐｌａｙＰｏｒｔケーブルを電源オプション有りのものに変更した場合の接続例である。この場合、ソース機器１側の１９番ピンの端子（Ｏｕｔｐｕｔ  Ｃｏｎｔｒｏｌ）と、標準シンク機器側の１９番ピンの端子（Ｒｅｔｕｒｎ）が接続する。また、ソース機器１側の２０番ピンの端子（ＤＰ  ＰＷＲ）と標準シンク機器側の２０番ピンの端子（ＤＰ  ＰＷＲ）が接続する。標準シンク機器側の２０番ピンの端子（ＤＰ  ＰＷＲ）は、内部回路と未接続である。この接続例においても、図１１（ａ）の接続例と同様に、イネーブル端子Ｔ３の入力電圧は接続前のＬｏｗレベルのままとなり、ソース機器１は伝送を開始しない。また、標準シンク機器側の２０番ピンの端子（ＤＰ  ＰＷＲ）は、内部回路と未接続であるため、検出用信号としての（＋）３．３Ｖの電圧は標準シンク機器の内部回路には入力しない。
【００５３】
図１１（ｄ）は、図１１（ａ）の接続例において標準ＤｉｓｐｌａｙＰｏｒｔケーブルと標準シンク機器とを共に電源オプション有りのものに変更した場合の接続例である。この場合、標準シンク機器側の２０番ピンの端子（ＤＰ  ＰＷＲ）は、標準シンク機器側が備える所定の回路の、ソース機器１からの駆動電圧の供給を受けるラインに結線されている。この接続例においても、図１１（ａ）の接続例と同様に、イネーブル端子Ｔ３の入力電圧は接続前のＬｏｗレベルのままとなり、ソース機器１は伝送を開始しない。また、標準シンク機器側の２０番ピンの端子（ＤＰ  ＰＷＲ）は、標準シンク機器の内部回路に規定の＋３．３Ｖの電圧を供給するにすぎないので、標準シンク機器側の内部回路への影響は抑止できる。
【００５４】
図１２及び図１３は、非対応製品である標準ＤｉｓｐｌａｙＰｏｒｔケーブルを介して対応製品であるシンク機器２を接続した場合の接続例である。
【００５５】
図１２は、標準ＤｉｓｐｌａｙＰｏｒｔケーブル（標準仕様の電源オプション無し）の場合の接続例である。この場合、ソース機器１側の１９番ピンの端子（Ｏｕｔｐｕｔ  Ｃｏｎｔｒｏｌ）と、シンク機器２側の１９番ピンの端子（ＤＰ  ＰＷＲ）が接続する。ソース機器１側の２０番ピンの端子（ＤＰ  ＰＷＲ）とシンク機器２側の２０番ピンの端子（Ｏｕｔｐｕｔ  Ｃｏｎｔｒｏｌ）間は未接続である。この接続例では、ソース機器１の１９番ピンの端子はグランドＧＮＤの０Ｖをとる。このため、イネーブル端子Ｔ３の入力電圧は接続前のＬｏｗレベルのままとなり、ソース機器１は伝送を開始しない。
【００５６】
図１３は、標準ＤｉｓｐｌａｙＰｏｒｔケーブル（標準仕様の電源オプション有り）の場合の接続例である。この場合、ソース機器１側の２０番ピンの端子（ＤＰ  ＰＷＲ）と、シンク機器２側の２０番ピンの端子（Ｏｕｔｐｕｔ  Ｃｏｎｔｒｏｌ）が接続する。これによりシンク機器２側の２０番ピンの端子（Ｏｕｔｐｕｔ  Ｃｏｎｔｒｏｌ）に＋３．３Ｖの電圧が印加される。しかし、ダイオードＤ１が逆向きの電流を抑止するので、シンク機器２側では２０番ピンの端子から１９番ピンの端子の向きの電流は発生しない。このため、ソース機器１の１９番ピンの端子はグランドＧＮＤの０Ｖをとる。イネーブル端子Ｔ３の入力電圧は接続前のＬｏｗレベルのままとなるためソース機器１は伝送を開始しない。
【００５７】
本実施形態では、ソース機器とシンク機器間の伝送信号の例としてビデオ信号を示したが、これに限らず、音声信号等のその他の信号を伝送しても良い。
【００５８】
また、本実施形態では、ソース機器からシンク機器に向けての信号や電力の伝送を主に示したが、言うまでもなくシンク機器からソース機器に対する伝送であっても良い。例えばシンク機器がタッチパネル等のＵＳＢ機器を備えるものであれば、ソース機器がＵＳＢ機器からの信号を受信する形態であっても良い。  
【００５９】
また、本実施形態では、識別用信号としてイネーブル端子にイネーブル信号を入力する識別回路を例示したが、識別回路をこれに限るものではない。ビデオ信号等の入力信号の出力のＯＮとＯＦＦを切り替えられるものであれば適宜変形して良い。
【００６０】
また、識別回路をソース機器に設ける例を示したが、その一部又は全体を接続ケーブルに設けても良い。
【００６１】
また、本実施形態では、一方向に電流を通過させる回路としてダイオードを含ませたものを示したが、その回路をこれに限定するものではない。例えば、トランジスタ（ＦＥＴ等）の半導体素子を用いても良い。
【００６２】
また、本実施形態では、ソース機器とシンク機器の接続例として、ＰＣと液晶ディスプレイの接続例を示したが、ソース機器とシンク機器の組み合わせをこれに限定するものではない。例えばソース機器をＰＯＳ端末などとしても良いし、シンク機器をプロジェクタなどとしても良い。
【００６３】
また、本実施形態のＤｉｓｐｌａｙＰｏｒｔインタフェースをミニプラグの構成のものに適用しても良い。
【００６４】
また、ＤｉｓｐｌａｙＰｏｒｔ規格に限らず、その他の規格のものに適宜適用しても良い。
【００６５】
以上のように、本実施形態では、ＤｉｓｐｌａｙＰｏｒｔのような汎用規格のインタフェースがカスタマイズされたソース機器１に誤って非対応製品を接続した場合であっても、ソース機器１と非対応のシンク機器との間のビデオ信号や制御信号や電力等の伝送を止めておくことができる。つまり、非対応製品が接続された場合の電気的な障害を防ぐことができる。
【００６６】
以上の実施形態において、電子機器及び周辺機器についての構成を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１      ソース機器
１０    ＣＰＵ
１１    ＢＩＯＳ−ＲＯＭ
１２    メモリ
１３    チップセット
１４    外部記憶装置
１５    識別回路
Ｃ１    第１のコネクタ
ｄ１    信号伝送路
ｅ１    識別用信号伝送路
ｅ２    検出用信号伝送路
ｐ１    電力伝送路
Ｐ      電源部
【先行技術文献】
【特許文献】
【００６８】
【特許文献１】特開２０１４−１４７０４１号公報
【図１】
2017097651.tif 000003
【図２】
2017097651.tif 000004
【図３】
2017097651.tif 000005
【図４】
2017097651.tif 000006
【図５】
2017097651.tif 000007
【図６】
2017097651.tif 000008
【図７】
2017097651.tif 000009
【図８】
2017097651.tif 000010
【図９】
2017097651.tif 000011
【図１０】
2017097651.tif 000012
【図１１】
2017097651.tif 000013
【図１２】
2017097651.tif 000014
【図１３】
2017097651.tif 000015